(57)【特許請求の範囲】
【請求項１】
熱可塑性多孔質材料から形成される印材に階調画像を含む印判を形成するための製版用データを作成・編集する製版用データ作成・編集手段を備えたスタンプ製版用データ作成装置において、
前記製版用データ作成・編集手段は、
元画像の画像データに含まれる文字データ以外の画像データを明度５０％とコントラスト５０％の所定階調数の階調画像の画像データに変換する階調画像データ作成手段と、
前記階調画像の画像データに１乃至複数の文字データからなる文字列データが重なっているか否かを判定する判定手段と、
前記階調画像の画像データに１乃至複数の文字データからなる文字列データが重なっていると判定された場合には、該階調画像の画像データの平均明度を算出する算出手段と、
前記平均明度に対応する前記階調画像の画像データの明度とコントラストを変換する変換データを記憶する記憶手段と、
前記算出手段によって算出された平均明度が所定閾値未満の場合には、該平均明度に対応する前記変換データに基づいて前記階調画像の画像データの明度とコントラストを変換した該階調画像の変換画像データを作成する変換画像データ作成手段と、
前記算出手段によって算出された平均明度が所定閾値以上の場合には、前記階調画像の画像データと前記文字列データに対して２値化処理を行って製版用データを作成し、前記算出された平均明度が所定閾値未満の場合には、前記階調画像の変換画像データと前記文字列データに対して２値化処理を行って製版用データを作成する製版用データ作成手段と、
を有することを特徴とするスタンプ製版用データ作成装置。
【請求項２】
前記判定手段を介して前記階調画像の画像データに１乃至複数の文字データからなる文字列データが重なっていないと判定された場合には、前記製版用データ作成手段は、前記階調画像の画像データと前記文字列データに対して２値化処理を行って製版用データを作成することを特徴とする請求項１に記載のスタンプ製版用データ作成装置。
【請求項３】
前記変換データは、前記平均明度に対応する変換用明度と変換用コントラストとから構成され、
前記変換用明度は、該平均明度が前記所定閾値よりも低くなるに従って、前記明度５０％よりも高い値になるように設定され、
前記変換用コントラストは、該平均明度が前記所定閾値よりも低くなるに従って、前記コントラスト５０％よりも低い値になるように設定され、
前記変換画像データ作成手段は、前記算出手段によって算出された平均明度が所定閾値未満の場合には、該平均明度に対応する該変換用明度と該変換用コントラストの前記階調画像の変換画像データを作成することを特徴とする請求項１又は請求項２に記載のスタンプ製版用データ作成装置。
【請求項４】
請求項１乃至請求項３のいずれかに記載のスタンプ製版用データ作成装置の製版用データ作成・編集手段としてコンピュータを機能させることを特徴とするプログラム。
【請求項５】
請求項１乃至請求項３のいずれかに記載のスタンプ製版用データ作成装置の製版用データ作成・編集手段としてコンピュータを機能させるためのプログラムが記録されてコンピュータで読み取り可能なことを特徴とする記録媒体。
【発明の詳細な説明】
【技術分野】
【０００１】
本発明は、元画像データから熱可塑性多孔質材料から形成される印材に印判を形成するための製版用データを作成するスタンプ製版用データ作成装置、プログラム及び記録媒体に関するものである。
【背景技術】
【０００２】
従来より、元画像データから熱可塑性多孔質材料から形成される印材に印判を形成するための製版用データを作成するスタンプ製版用データ作成装置に関し種々提案されている。
例えば、元画像データから熱可塑性多孔質材料から形成される印材に印判を形成するために作成した製版用データのドットマトリックスに配置されるドットのそれぞれが、穿孔予定ドットおよび非穿孔予定ドットのいずれであるかを順次決定する穿孔予定決定手段と、このドットマトリックスに配置されるドットのうち、１行おきの各行について１列おきに選択される間引き除外ドット以外の間引き候補ドットのそれぞれが、当該間引き候補ドットをそれぞれ取り囲む８つのドットから選択された所定ドットすべてが穿孔予定ドットであるときに、孔形成手段によって穿孔されないように製版用データを作成するスタンプ製版用データ作成装置がある（例えば、特許文献１参照。）。
【特許文献１】特開２０００−４３２２６号公報（段落（００２３）〜（００８８）、図１〜図２５）
【発明の開示】
【発明が解決しようとする課題】
【０００３】
しかしながら、上述した従来のスタンプ製版用データ作成装置では、元画像データが２５６階調等の階調画像の画像データに１乃至複数の文字データからなる文字列データが重なっている場合には、階調画像データの滲み防止のための間引き処理によって文字データのドットも間引かれてしまい、捺印された文字が薄くなる等、捺印された文字の見栄えが悪くなるという問題がある。
【０００４】
そこで、本発明は、上述した問題点を解決するためになされたものであり、階調画像の画像データに１乃至複数の文字データからなる文字列データが重なっている場合に、捺印された文字の見栄えがよい製版用画像データを作成することが可能なスタンプ製版用データ作成装置、プログラム及び記録媒体を提供することを目的とする。
【課題を解決するための手段】
【０００７】
前記目的を達成するため請求項１に係るスタンプ製版用データ作成装置は、熱可塑性多孔質材料から形成される印材に階調画像を含む印判を形成するための製版用データを作成・編集する製版用データ作成・編集手段を備えたスタンプ製版用データ作成装置において、前記製版用データ作成・編集手段は、元画像の画像データに含まれる文字データ以外の画像データを明度５０％とコントラスト５０％の所定階調数の階調画像の画像データに変換する階調画像データ作成手段と、前記階調画像の画像データに１乃至複数の文字データからなる文字列データが重なっているか否かを判定する判定手段と、前記階調画像の画像データに１乃至複数の文字データからなる文字列データが重なっていると判定された場合には、該階調画像の画像データの平均明度を算出する算出手段と、前記平均明度に対応する前記階調画像の画像データの明度とコントラストを変換する変換データを記憶する記憶手段と、前記算出手段によって算出された平均明度が所定閾値未満の場合には、該平均明度に対応する前記変換データに基づいて前記階調画像の画像データの明度とコントラストを変換した該階調画像の変換画像データを作成する変換画像データ作成手段と、前記算出手段によって算出された平均明度が所定閾値以上の場合には、前記階調画像の画像データと前記文字列データに対して２値化処理を行って製版用データを作成し、前記算出された平均明度が所定閾値未満の場合には、前記階調画像の変換画像データと前記文字列データに対して２値化処理を行って製版用データを作成する製版用データ作成手段と、を有することを特徴とする。
【０００８】
また、請求項２に係るスタンプ製版用データ作成装置は、請求項１に記載のスタンプ製版用データ作成装置において、前記判定手段を介して前記階調画像の画像データに１乃至複数の文字データからなる文字列データが重なっていないと判定された場合には、前記製版用データ作成手段は、前記階調画像の画像データと前記文字列データに対して２値化処理を行って製版用データを作成することを特徴とする。
また、請求項３に係るスタンプ製版用データ作成装置は、請求項１又は請求項２に記載のスタンプ製版用データ作成装置において、前記変換データは、前記平均明度に対応する変換用明度と変換用コントラストとから構成され、前記変換用明度は、該平均明度が前記所定閾値よりも低くなるに従って、前記明度５０％よりも高い値になるように設定され、前記変換用コントラストは、該平均明度が前記所定閾値よりも低くなるに従って、前記コントラスト５０％よりも低い値になるように設定され、前記変換画像データ作成手段は、前記算出手段によって算出された平均明度が所定閾値未満の場合には、該平均明度に対応する該変換用明度と該変換用コントラストの前記階調画像の変換画像データを作成することを特徴とする。
【０００９】
また、請求項４に係るプログラムは、請求項１乃至請求項３のいずれかに記載のスタンプ製版用データ作成装置の製版用データ作成・編集手段としてコンピュータを機能させることを特徴とする。
【００１０】
更に、請求項５に係る記録媒体は、請求項１乃至請求項３のいずれかに記載のスタンプ製版用データ作成装置の製版用データ作成・編集手段としてコンピュータを機能させるためのプログラムが記録されてコンピュータで読み取り可能なことを特徴とする。
【発明の効果】
【００１３】
請求項１に係るスタンプ製版用データ作成装置では、階調画像の画像データに１乃至複数の文字データからなる文字列データが重なっている場合には、該階調画像の画像データの平均明度を算出する。そして、平均明度が所定閾値以上の場合には、明度５０％とコントラスト５０％の階調画像の画像データと文字列データに対して２値化処理を行って製版用データを作成する。一方、平均明度が所定閾値未満の場合には、この平均明度に対応して予め記憶する変換データに基づいて階調画像の画像データの明度とコントラストを変換した該階調画像の変換画像データを作成する。そして、この階調画像の変換画像データと文字列データに対して２値化処理を行って製版用データを作成する。
これにより、階調画像の画像データの算出した平均明度が所定閾値未満の場合には、この階調画像の画像データの明度とコントラストを自動的に変換して、階調画像の押印時の滲みによって捺印された文字の潰れ等を防止することが可能となり、捺印された文字の見栄えがよい製版用画像データを作成することが可能となる。
【００１４】
また、請求項２に係るスタンプ製版用データ作成装置では、階調画像の画像データに１乃至複数の文字データからなる文字列データが重なっていない場合には、明度５０％とコントラスト５０％の階調画像の画像データと文字列データに対して２値化処理を行って製版用データを作成する。これにより、元画像の画像データに含まれる文字データ以外の画像データを明度５０％とコントラスト５０％の所定階調数の階調画像の画像データに変換でき、捺印された階調画像の見栄えがよい製版用画像データを作成することが可能となる。
更に、請求項３に係るスタンプ製版用データ作成装置では、階調画像の画像データの算出した平均明度が所定閾値未満の場合には、平均明度が所定閾値よりも低くなるに従って、当該階調画像の画像データの明度を明度５０％よりも高い値になるように設定すると共に、当該階調画像の画像データのコントラストをコントラスト５０％よりも低い値になるように設定する。これにより、階調画像の画像データの算出した平均明度が所定閾値未満の場合には、この平均明度に対応して階調画像の画像データの明度を高くすると共に、コントラストを低くして、階調画像の押印時の滲みによって捺印された文字の潰れ等を確実に防止することが可能となり、捺印された文字の更に見栄えがよい製版用画像データを作成することが可能となる。
【００１５】
また、請求項４に係るプログラムでは、コンピュータは当該プログラムを読み込むことによって、請求項１乃至請求項３のいずれかに記載のスタンプ製版用データ作成装置として機能する。このため、階調画像の画像データに１乃至複数の文字データからなる文字列データが重なっている場合には、この階調画像の押印時の滲みによる捺印された文字の潰れ等を防止することが可能となり、捺印された文字の見栄えがよい製版用画像データを作成することが可能となる。
【００１６】
更に、請求項５に係る記録媒体では、請求項１乃至請求項３のいずれかに記載のスタンプ製版用データ作成装置の機能をコンピュータで実行されるプログラムとして備えることができる。このようなプログラムの場合、例えば、半導体メモリ、ハードディスク、フロッピー（登録商標）ディスク、データカード（ＩＣカード、磁気カード等）、光ディスク（ＣＤ−ＲＯＭ、ＤＶＤ等）、光磁気ディスク（ＭＤ等）、相変化ディスク、磁気テープ等のコンピュータで読み取り可能な記録媒体に記録し、必要に応じてコンピュータにロードして起動することにより用いることができる。この他、ＲＯＭやバックアップＲＡＭに前記プログラムを記録しておき、このＲＯＭやバックアップＲＡＭをコンピュータに組み込んで用いてもよい。
【発明を実施するための最良の形態】
【００１７】
以下、本発明に係るスタンプ製版用データ作成装置、プログラム及び記録媒体をスタンプ製版システムについて、具体化した実施例１乃至実施例４に基づいて図面を参照しつつ詳細に説明する。
【実施例１】
【００１８】
［スタンプ製版システムの概略構成］
先ず、実施例１に係るスタンプ製版システム１の概略構成について図１乃至図４に基づき説明する。
図１は実施例１に係るスタンプ製版システム１の概略構成を示す斜視図である。図２は実施例１に係るスタンプ製版システム１のスタンプ作成装置３の制御構成を示すブロック図である。図３は実施例１に係るスタンプ製版システム１のコンピュータ装置２の制御構成を示すブロック図である。図４は実施例１に係るスタンプ製版システム１のコンピュータ装置２のＲＡＭ４３の構成を示すブロック図である。
【００１９】
図１に示すように、スタンプ製版システム１は、画像処理装置であるコンピュータ装置２と、このコンピュータ装置２とインターフェースケーブルＳ１を介して接続されて熱可塑性多孔質材料を印材としたスタンプを製造する公知のスタンプ作成装置３（例えば、本出願人による特開２０００−１０３１５２号公報、特開２００１−１７７７２３号公報に開示されている。）とから構成されている。
【００２０】
また、コンピュータ装置２は、液晶表示装置（ＬＣＤ）５、キーボード６、マウス７、イメージスキャナ８等から構成されている。尚、マウス７は、ジョイスティックやトラックボール等に置き換えてもよい。
【００２１】
また、スタンプ作成装置３は、装置本体１１に対して着脱可能であって透明の原稿フィルムを複数枚収納可能なフィルムマガジン１２と、フィルムマガジン１２の近傍の装置本体１１に設けられた印版識別（ＩＤ）ラベル用のカットシートの供給口１３と、サーマルヘッド１５（図２参照）を備えた印刷部１４と、印刷された原稿フィルムに基づいてスタンプ本体（図示せず）の下面に配された印材（図示せず）に印面を形成するためのスタンプ製版部１６と、スタンプ製版部１６の近傍の装置本体１１に設けられたカットシートおよび原稿フィルムの排出口１８とを有している。
【００２２】
また、スタンプ製版部１６下方には、キセノン管（図示せず）を具備した発光ユニット１９が着脱自在に設けられている。スタンプ本体が載置されるステージを有する発光ユニット１９はスライドレバー２１を上方に摺動させることによってスタンプ作成装置３から取り外しが可能である。また、スタンプ製版部１６には、スタンプ本体を出し入れする際に開閉される上蓋２２が設けられている。
【００２３】
そして、このスタンプ作成装置３は、インターフェースケーブルＳ１を介して接続されるコンピュータ装置２からの制御にしたがって、原稿フィルムに対するポジ原稿の印刷、カットシートへのＩＤラベルの印刷、ポジ原稿が印刷された原稿フィルムに基づくスタンプの製版といった各種動作を実行するように構成されている。
【００２４】
ここで、スタンプ本体の下面に配された印材の構造について説明する。ここで用いられる印材は、例えば本出願人による特開平１１−７８１９１号公報に開示されているような、カーボンブラックなどの光エネルギー吸収性物質を分散させた軟質多孔性樹脂（例えば、ウレタン系樹脂）からなる下側層と、インクを貯溜するとともに下側層に均一に圧力が印加されるようにする硬質多孔性樹脂（例えば、ポリビニルホルマール）からなる上側層とを具備した２層構造を有するものである。
【００２５】
この印材を圧縮した状態でポジ画像が印刷された透明な原稿フィルム（ポジ原稿）を介して選択的に光を照射すると、原稿の透明部分に対応して光が照射された下側層の部分は、光エネルギー吸収物質の発熱作用によって溶融後固化されるので、シールされてインクを透過しない状態となる。一方、原稿の印刷部分に対応した下側層の部分は、光が照射されないだけでなく原稿の印刷部分からの伝導熱で溶融固化されることもなく、原稿の文字等に対応してシールされないでそのまま残存することとなる。これにより、所望パターンのシール部（非印刷部）と非シール部（印刷部）とが印材の下面に混在した印判が形成される。
【００２６】
［スタンプ作成装置の制御回路構成］
次に、スタンプ作成装置３の制御回路構成について図２に基づいて説明する。
図２に示すように、スタンプ作成装置３には、ＣＰＵ２５と、ＲＯＭ２６と、ＲＡＭ２７と、入出力インタフェース２８とが備えられており、これらはバス２９によって相互に接続されている。また、入出力インターフェイス２８には、インターフェースケーブルＳ１を介してコンピュータ装置２の通信用インターフェイス（Ｉ／Ｆ）４５（図３参照）が接続されている。
【００２７】
これによって、スタンプ作成装置３は、本実施の形態に即して画像処理された印面データをコンピュータ装置２から取り込むことが可能である。さらに、入出力インターフェイス２８には、ヘッド駆動回路３１およびモータ駆動回路３２がそれぞれ接続されている。ヘッド駆動回路３１にはサーマルヘッド１５が接続されており、モータ駆動回路３２にはスタンプ作成装置３の各所に配置されてサーマルヘッド１５や各種ローラなどを駆動するモータ類３３がそれぞれ接続されている。
【００２８】
また、ＲＯＭ２６には、スタンプ作成装置３の全体の作動を制御する制御プログラムが記憶されている。ＲＡＭ２７には、コンピュータ装置２から与えられた画像データを記憶する画像バッファ３５が設けられている。
また、ＣＰＵ２５は、ＲＯＭ２６に記憶された制御プログラムおよびＲＡＭ２７の画像バッファ３５に記憶された画像データに基づいて、ヘッド駆動回路３１およびモータ駆動回路３２を制御する。これにより、原稿フィルム或いはＩＤラベル用のカットシートにはサーマルヘッド１５を介して所望の捺印画像が印刷され、原稿フィルムはその後印材の製版に供される。
【００２９】
［コンピュータ装置の制御回路構成］
次に、コンピュータ装置２の制御回路構成について図３及び図４に基づいて説明する。
図３に示すように、コンピュータ装置２は、ＣＰＵ４１、ＲＯＭ４２、ＲＡＭ４３、入出力インターフェース（Ｉ／Ｆ）４４、通信用インターフェース（Ｉ／Ｆ）４５、フロッピー（登録商標）ディスクコントローラ（ＦＤＣ）４６、フロッピー（登録商標）ディスクドライブ（ＦＤＤ）４７、ハードディスクコントローラ（ＨＤＣ）４８、ハードディスクドライブ（ＨＤＤ）４９、表示装置コントローラ５０、液晶表示装置（ＬＣＤ）５、キーボード６、モデム５１等を備えている。また、ＣＰＵ４１、ＲＯＭ４２、ＲＡＭ４３、入出力インターフェース（Ｉ／Ｆ）４４、通信用インターフェース（Ｉ／Ｆ）４５、及びモデム５１は、バス線５２により相互に接続されて、相互にデータのやり取りが行われる。
【００３０】
また、入出力Ｉ／Ｆ４４には、ＦＤＤ４７を駆動制御するＦＤＣ４６を介してＦＤＤ４７、ＨＤＤ４９を駆動制御するＨＤＣ４８を介してＨＤＤ４９、表示装置コントローラ５０、文字や記号等を入力するためのキーボード６、及び印字用データや後述の制御プログラム、画像変換パラメータ等をＣＤ−ＲＯＭ５６に書き込み及び読み込むためのＣＤリード・ライター（ＣＤ−Ｒ／Ｗ）９が接続されている。また、モデム５１には電話回線５３が接続されている。尚、ＣＤ−Ｒ／Ｗ９は、ＭＯ装置、ＤＶＤ装置等に置き換えてもよい。
【００３１】
また、コンピュータ装置２には、入出力Ｉ／Ｆ４４を介して液晶表示装置５の表示画面上の座標を入力するためのマウス７、写真や図面から画像データ等を取り込むためのイメージスキャナ８が接続されている。また、コンピュータ装置２には、通信用Ｉ／Ｆ４５及びインターフェースケーブルＳ１を介してスタンプ作成装置３が接続される。
【００３２】
ここで、ＣＰＵ４１は、コンピュータ装置２全体を制御し、後述のようにハードディスク４９に記憶されたプログラムやパラメータデータに基づいて、製版用データ作成処理等の制御動作に関する全てのデータを管理する。また、ＲＯＭ４２には、一般のパーソナルコンピュータと同様に電源投入時にコンピュータ装置２を立ち上げてＣＰＵ４１を起動させるための起動プログラムが格納されると共に、後述する製版用画像データを作成してスタンプ作成装置３に送信する製版用画像データ作成処理の制御プログラムが記憶格納されている。
また、ＲＡＭ４３は、ＣＰＵ４１が種々の制御を実行する際に、各種データを一時的に記憶するものである。
【００３３】
ここで、図４に示すように、ＲＡＭ４３には、イメージスキャナ８や不図示のデジタルカメラ等から入力されたカラー写真等や、このカラー写真等とキーボード６等から入力された文字列データから構成された元画像と、この元画像を階調数２５６の階調画像に変換した階調画像とを記憶する元画像データ記憶領域４３Ａが設けられている。また、ＲＡＭ４３には、元画像データ記憶領域４３Ａに格納される階調画像から作成されたスタンプ製版用の画像データを記憶する製版用画像データ記憶領域４３Ｂが設けられている。また、ＲＡＭ４３には、スタンプ作成装置３に送信するための２値画像データを記憶する２値画像記憶領域４３Ｃ等が設けられている。
【００３４】
また、図３に示すように、通信用Ｉ／Ｆ４５は、例えば、ＵＳＢ（UniversalSerial Bus）等から構成され、スタンプ作成装置３や外部の電子機器（例えば、コンピュータ、レーザプリンタ、デジタルカメラ等）と双方向データ通信が可能になっている。
また、ＨＤＤ４９に装着されるハードディスクには、ＭＳ−ＤＯＳ（登録商標）やウィンドウズ（登録商標）システム等の各種オペレーティングシステム（ＯＳ）に加えて、スタンプ作成装置３や外部の電子機器に対してデータの送受信を行うための通信用プロトコル、当該ＯＳにて実行可能なワープロソフトや製版用データ作成ソフト等の各種アプリケーションプログラムが必要に応じて格納されている。
【００３５】
また、ＦＤＤ４７に着脱自在に装着されるフロッピー（登録商標）ディスク（ＦＤ）５５やＣＤ−Ｒ／Ｗ９に着脱自在に装着される光ディスク（ＣＤ−ＲＯＭ）５６には、後述する製版用画像データ等の各種データや、これら各画像データを作成するためにＲＯＭ４２に記憶される各種プログラムや各種変換データ等が格納保存されて、他のスタンプ製版システムに供給される。
また、このＲＡＭ４３の２値画像記憶領域４３Ｃに格納保存された後述する製版用画像データ等の各種データや、これら各画像データを作成するためにＲＯＭ４２に記憶される各種プログラムや各種変換データ等は、モデム５１を介して、他のスタンプ製版システムに供給することが可能に構成されている。
【００３６】
［製版用画像データ作成処理］
次に、このように構成されたスタンプ製版システム１のスタンプを作成する際のコンピュータ装置２における製版用画像データの作成処理等の制御処理について図５及び図６に基づいて説明する。図５は実施例１に係るコンピュータ装置における製版用画像データの作成等の制御処理を示すフローチャートである。図６は作成した製版用データの一例を示す図である。
【００３７】
図５に示すように、先ず、ステップ（以下、Ｓという）１１において、ＣＰＵ４１は、元画像データ記憶領域４３Ａに記憶する元画像を読み出す。そして、ＣＰＵ４１は、元画像に含まれる写真等を階調数２５６の階調画像に変換して（元画像に含まれる写真等がカラー画像の場合には、グレースケールに変換する。）、再度、元画像データ記憶領域４３Ａに記憶する。
【００３８】
続いて、Ｓ１２において、ＣＰＵ４１は、元画像データ記憶領域４３Ａから元画像を読み出し、この元画像を構成する階調数２５６の階調画像の上にキーボード６等から入力された１乃至複数の文字データからなる文字列データが重なっているか否かを判定する判定処理を実行する。
【００３９】
そして、元画像を構成する階調数２５６の階調画像の上にキーボード６等から入力された１乃至複数の文字データからなる文字列データが重なっていない場合には（Ｓ１２：ＮＯ）、この階調数２５６の階調画像等を含む元画像の画像データを製版用画像データ記憶領域４３Ｂに記憶後、ＣＰＵ４１は、後述のＳ１４の処理に移行する。
【００４０】
一方、元画像を構成する階調数２５６の階調画像の上にキーボード６等から入力された１乃至複数の文字データからなる文字列データが重なっている場合には（Ｓ１２：ＹＥＳ）、ＣＰＵ４１は、Ｓ１３の処理に移行する。Ｓ１３において、ＣＰＵ４１は、元画像を構成する階調数２５６の階調画像と文字列データとが重ならないように、両者を離して製版領域内に再配置した再配置画像を作成し、この再配置画像の画像データを製版用画像データ記憶領域４３Ｂに記憶する。
【００４１】
例えば、図６の上図に示すように、元画像７１が犬のカラー画像の上側に、「ｄｏｇ」の文字列データ７３の約左半分が重なった画像データの場合には、ＣＰＵ４１は、先ず、犬のカラー画像を階調数２５６の犬の階調画像７２に変換して、再度、元画像データ記憶領域４３Ａに記憶する。
【００４２】
そして、図６の下図に示すように、ＣＰＵ４１は、元画像データ記憶領域４３Ａから元画像７１を読み出し、「ｄｏｇ」の文字列データ７３をこの階調数２５６の犬の階調画像７２の上側に重ならないように、製版領域７４内を右側方向に移動させて再配置した再配置画像７５を作成する。そして、ＣＰＵ４１は、この再配置画像７５の画像データを製版用画像データ記憶領域４３Ｂに記憶する。
【００４３】
尚、製版領域７４内の犬の階調画像７２の右側の領域が狭い場合には、「ｄｏｇ」の文字列データ７３をこの階調数２５６の犬の階調画像７２の上側に重ならないように、製版領域７４内を右側方向に移動させた後、更に、この「ｄｏｇ」の文字列データ７３が製版領域内７４に入るように縮小して再配置した再配置画像を作成するようにしてもよい。また、この「ｄｏｇ」の文字列データ７３の文字の大きさが、予め定められた最小文字の大きさ（例えば、１０ポイントの大きさである。）よりも小さくなる場合には、犬の階調画像７２も縮小して製版領域７４内を左側方向に移動させるようにしてもよい。
【００４４】
そして、Ｓ１４において、ＣＰＵ４１は、製版用画像データ記憶領域４３Ｂに記憶されている画像データを読み込んで、２値化処理を行いスタンプ用製版を作成するための製版用画像データ（２値画像）を作成する。そして、ＣＰＵ４１は、この製版用画像データ（２値画像）を２値画像記憶領域４３Ｃに格納する。
続いて、Ｓ１５において、ＣＰＵ４１は、２値画像記憶領域４３Ｃに記憶される２値画像を読み出し、スタンプ作成装置３に対して、透明な原稿フィルムに該２値画像の画像データを製版する旨の指示指令と、当該２値画像の画像データとを送信して当該処理を終了する。
【００４５】
ここで、ＣＰＵ４１、ＲＯＭ４２、ＲＡＭ４３は、製版用データ作成・編集手段、判定手段、再配置画像データ作成手段、製版用データ作成手段を構成する。
【００４６】
以上詳細に説明した通り、実施例１に係るスタンプ製版システム１では、コンピュータ装置２のＣＰＵ４１は、元画像に含まれる写真等を階調数２５６の階調画像に変換する。また、この元画像の階調画像の上にキーボード６等から入力された１乃至複数の文字データからなる文字列データが重なっている場合には、ＣＰＵ４１は、階調数２５６の階調画像と文字列データとが重ならないように、両者を離して製版領域内に再配置した再配置画像を作成する。そして、ＣＰＵ４１は、この再配置画像の画像データの２値化処理を行いスタンプ用製版を作成するための製版用画像データ（２値画像）を作成し、スタンプ作成装置３に対して送信する（Ｓ１１〜Ｓ１５）。
【００４７】
これにより、ＣＰＵ４１は、元画像から作成された階調画像と文字とが重ならない製版用画像データを自動的に作成して、階調画像の押印時の滲みによる捺印された文字の潰れ等を防止することが可能となり、捺印された文字の見栄えがよい製版用画像データを作成することが可能となる。
【実施例２】
【００４８】
次に、実施例２に係るスタンプ製版システム１０１について説明する。尚、上記実施例１に係るスタンプ製版システム１と同一符号は、上記実施例１に係るスタンプ製版システム１と同一あるいは相当部分を示すものである。
【００４９】
この実施例２に係るスタンプ製版システム１０１の各全体構成は、実施例１に係るスタンプ製版システム１とほぼ同じ構成である。また、実施例２に係るスタンプ製版システム１０１の制御構成及び制御処理は、実施例１に係るスタンプ製版システム１の制御構成及び制御処理と同じ制御処理である。
但し、実施例２に係るスタンプ製版システム１０１は、スタンプを作成する際のコンピュータ装置２における製版用画像データの作成処理が、実施例１に係るスタンプ製版システム１と異なっている。
【００５０】
［製版用画像データ作成処理］
ここで、実施例２に係るコンピュータ装置２のスタンプを作成する際の製版用画像データの作成処理について図７及び図８に基づいて説明する。図７は実施例２に係るコンピュータ装置２における製版用画像データの作成等の制御処理を示すフローチャートである。図８は警告報知の一例を示す図である。
【００５１】
図７に示すように、Ｓ１１１及びＳ１１２において、ＣＰＵ４１は、上記Ｓ１１及びＳ１２の処理を実行する。
そして、元画像を構成する階調数２５６の階調画像の上にキーボード６等から入力された１乃至複数の文字データからなる文字列データが重なっていない場合には（Ｓ１１２：ＮＯ）、ＣＰＵ４１は、当該処理を終了する。
【００５２】
一方、元画像を構成する階調数２５６の階調画像の上にキーボード６等から入力された１乃至複数の文字データからなる文字列データが重なっている場合には（Ｓ１１２：ＹＥＳ）、ＣＰＵ４１は、Ｓ１１３の処理に移行する。Ｓ１１３において、ＣＰＵ４１は、元画像から作成された階調画像と文字とが重なっている旨を液晶表示装置５に表示して、ユーザに階調画像の押印時の滲みによって捺印された文字の潰れ等が発生する可能性がある旨を報知後、当該処理を終了する。
【００５３】
例えば、図８の上図に示すように、元画像７１が犬のカラー画像の上側に、「ｄｏｇ」の文字列データ７３の約左半分が重なった画像データの場合には、ＣＰＵ４１は、先ず、犬のカラー画像を階調数２５６の犬の階調画像７２に変換して、再度、元画像データ記憶領域４３Ａに記憶する。
そして、犬の階調画像７２の上側に、「ｄｏｇ」の文字列データ７３の約左半分が重なっているため、ＣＰＵ４１は、図８の下図に示すように、液晶表示装置５の表示画面に、「イメージとテキストが重なっています。」と警告文７７を表示すると共に、その下側に、この警告文７７の表示終了を指示する確認ボタン７８を表示する。
【００５４】
従って、ユーザは、マウス７またはキーボード６を介してカーソル７９を確認ボタン７８の上側に移動させて、クリックすることにより、この警告文７７の表示を終了させることができる。つまり、ユーザは、元画像７１の階調画像７２の上側に文字列データ７３の一部又は全部が重なっている旨を確実に確認することが可能となる。
【００５５】
ここで、ＣＰＵ４１、ＲＯＭ４２、ＲＡＭ４３は、製版用データ作成・編集手段、判定手段を構成する。また、ＣＰＵ４１、液晶表示装置５は、報知手段を構成する。
【００５６】
以上詳細に説明した通り、実施例２に係るスタンプ製版システム１０１では、コンピュータ装置２のＣＰＵ４１は、元画像に含まれる写真等を階調数２５６の階調画像に変換する。また、この元画像の階調画像の上にキーボード６等から入力された１乃至複数の文字データからなる文字列データが重なっている場合には、ＣＰＵ４１は、元画像から作成された階調画像と文字とが重なっている旨を液晶表示装置５に表示して、ユーザに階調画像の押印時の滲みによって捺印された文字の潰れ等が発生する可能性がある旨を報知する（Ｓ１１１〜Ｓ１１３）。
これにより、ユーザは、階調画像の押印時の滲みによって捺印された文字の潰れ等が発生する可能性があることを、製版用画像データの作成前に知ることが可能となる。
【実施例３】
【００５７】
次に、実施例３に係るスタンプ製版システム１１１について説明する。尚、上記実施例１に係るスタンプ製版システム１と同一符号は、上記実施例１に係るスタンプ製版システム１と同一あるいは相当部分を示すものである。
【００５８】
この実施例３に係るスタンプ製版システム１１１の各全体構成は、実施例１に係るスタンプ製版システム１とほぼ同じ構成である。また、実施例３に係るスタンプ製版システム１１１の制御構成及び制御処理は、実施例１に係るスタンプ製版システム１の制御構成及び制御処理と同じ制御処理である。
【００５９】
但し、実施例３に係るスタンプ製版システム１１１では、元画像を構成する階調数２５６の階調画像の明度とコントラストを変換する変換データが格納された変換データテーブル８１（図１０参照）がＲＯＭ４２に記憶されている点で実施例１に係るスタンプ製版システム１と異なっている。また、実施例３に係るスタンプ製版システム１１１は、スタンプを作成する際のコンピュータ装置２における製版用画像データの作成処理が実施例１に係るスタンプ製版システム１と異なっている。
【００６０】
［変換データテーブル］
ここで、ＲＯＭ４２に記憶される変換データテーブル８１の一例について図９に基づいて説明する。図９は実施例３に係る変換データテーブル８１の一例を示す図である。
図９に示すように、変換データテーブル８１は、元画像を構成する階調数２５６の階調画像の平均明度を表す「平均明度」と、各「平均明度」に対応する階調画像の明度とコントラストの変換の有・無を表す「変換」と、各「平均明度」に対応する階調画像の明度の変換値を表す「明度」と、各「平均明度」に対応する階調画像のコントラストの変換値を表す「コントラスト」とから構成されている。
【００６１】
例えば、「平均明度」が「２２０以上」に対応する「変換」には、階調画像の明度とコントラストを変換しない「変換なし」が格納され、「平均明度」が「２１９以下」に対応する各「変換」には、「変換あり」が格納されている。従って、元画像を構成する階調数２５６の階調画像の平均明度が、２１９以下の場合には、後述のように、この階調画像の明度とコントラストが変換される（図１０参照）。
【００６２】
［製版用画像データ作成処理］
次に、実施例３に係るコンピュータ装置２のスタンプを作成する際の製版用画像データの作成処理について図１０及び図１１に基づいて説明する。図１０は実施例３に係るコンピュータ装置２における製版用画像データの作成等の制御処理を示すフローチャートである。図１１は作成した製版用データの一例を示す図である。
【００６３】
図１０に示すように、Ｓ２１１及びＳ２１２において、ＣＰＵ４１は、上記Ｓ１１及びＳ１２の処理を実行する。尚、Ｓ２１１において、ＣＰＵ４１は、元画像に含まれる写真等を明度５０％及びコントラスト５０％の階調数２５６の階調画像に変換して（元画像に含まれる写真等がカラー画像の場合には、グレースケールに変換する。）、再度、元画像データ記憶領域４３Ａに記憶する。
そして、元画像を構成する階調数２５６の階調画像の上にキーボード６等から入力された１乃至複数の文字データからなる文字列データが重なっていない場合には（Ｓ２１２：ＮＯ）、この階調数２５６の階調画像等を含む元画像の画像データを製版用画像データ記憶領域４３Ｂに記憶後、ＣＰＵ４１は、後述のＳ２１５の処理に移行する。
【００６４】
一方、元画像を構成する階調数２５６の階調画像の上にキーボード６等から入力された１乃至複数の文字データからなる文字列データが重なっている場合には（Ｓ２１２：ＹＥＳ）、ＣＰＵ４１は、Ｓ２１３の処理に移行する。Ｓ２１３において、ＣＰＵ４１は、元画像を構成する階調数２５６の階調画像の平均明度を算出する。
【００６５】
そして、Ｓ２１４において、ＣＰＵ４１は、この算出した平均明度をＲＯＭ４２に記憶される変換データテーブル８１の「平均明度」として、この「平均明度」に対応する変換データテーブル８１の「変換」のデータを読み出す。そして、この「変換」のデータが「変換なし」の場合には、ＣＰＵ４１は、当該階調画像の明度とコントラストを変換しない。そして、ＣＰＵ４１は、この明度とコントラストを変換していない階調画像等を含む元画像の画像データを製版用画像データ記憶領域４３Ｂに記憶後、後述のＳ２１５の処理に移行する。
【００６６】
一方、この算出した平均明度に対応する「変換」のデータが「変換あり」の場合には、ＣＰＵ４１は、この算出した平均明度を変換データテーブル８１の「平均明度」として、この「平均明度」に対応する変換データテーブル８１の「明度」と「コントラスト」の各データを読み出す。そして、ＣＰＵ４１は、この読み出した「明度」と「コントラスト」の各データに対応するように元画像を構成する当該階調画像の明度とコントラストを変換する。続いて、ＣＰＵ４１は、この階調画像の明度とコントラストを変換した変換画像データ等を含む元画像の画像データを製版用画像データ記憶領域４３Ｂに記憶後、後述のＳ２１５の処理に移行する。
【００６７】
例えば、図１１の上図に示すように、元画像７１が犬のカラー画像の上側に、「ｄｏｇ」の文字列データ７３の約左半分が重なった画像データの場合には、ＣＰＵ４１は、先ず、犬のカラー画像を明度５０％及びコントラスト５０％の階調数２５６の犬の階調画像７２に変換して、再度、元画像データ記憶領域４３Ａに記憶する。そして、ＣＰＵ４１は、この犬の階調画像７２の平均明度を算出し、算出した平均明度が「１８０〜１９９」の場合には、変換データテーブル８１から、この算出した平均明度「１８０〜１９９」に対応する「変換」のデータを読み出す。そして、この「変換」のデータが「変換あり」の場合には、ＣＰＵ４１は、変換データテーブル８１から、この算出した平均明度に対応する「明度」と「コントラスト」の各データ「７０％」と「３０％」を読み出す。
【００６８】
続いて、図１１の下図に示すように、ＣＰＵ４１は、この読み出した「明度」と「コントラスト」の各データ「７０％」と「３０％」に対応するように、当該犬の階調画像７２の画像データを明度「７０％」及びコントラスト「３０％」の犬の階調画像８３の変換画像データに変換する。そして、ＣＰＵ４１は、この明度「７０％」及びコントラスト「３０％」に変換した犬の階調画像８３の変換画像データ等を含む元画像の画像データを製版用画像データ記憶領域４３Ｂに記憶後、後述のＳ２１５の処理に移行する。
【００６９】
その後、図１０に示すように、Ｓ２１５及びＳ２１６において、ＣＰＵ４１は、上記Ｓ１４及びＳ１５の処理を実行後、当該処理を終了する。
【００７０】
ここで、ＣＰＵ４１、ＲＯＭ４２、ＲＡＭ４３は、製版用データ作成・編集手段、判定手段、算出手段、変換画像データ作成手段、製版用データ作成手段を構成する。また、ＲＯＭ４２は、記憶手段として機能する。
【００７１】
以上詳細に説明した通り、実施例３に係るスタンプ製版システム１１１では、コンピュータ装置２のＣＰＵ４１は、元画像に含まれる写真等を明度５０％及びコントラスト５０％の階調数２５６の階調画像に変換する。また、この元画像の階調画像の上にキーボード６等から入力された１乃至複数の文字データからなる文字列データが重なっている場合には、ＣＰＵ４１は、階調画像の平均明度を算出する。そして、ＣＰＵ４１は、この算出した平均明度を変換データテーブル８１の「平均明度」として、この「平均明度」に対応する変換データテーブル８１の「変換」が「変換なし」の場合には、元画像の画像データの２値化処理を行いスタンプ用製版を作成するための製版用画像データ（２値画像）を作成し、スタンプ作成装置３に対して送信する。
【００７２】
一方、この「平均明度」に対応する変換データテーブル８１の「変換」が「変換あり」の場合には、ＣＰＵ４１は、この算出した平均明度を変換データテーブル８１の「平均明度」として、この「平均明度」に対応する変換データテーブル８１の「明度」と「コントラスト」の各データを読み出す。続いて、ＣＰＵ４１は、この読み出した「明度」と「コントラスト」の各データに対応するように元画像を構成する当該階調画像の明度とコントラストを変換する。そして、ＣＰＵ４１は、この階調画像の明度とコントラストを変換した変換画像データ等を含む元画像の画像データの２値化処理を行いスタンプ用製版を作成するための製版用画像データ（２値画像）を作成し、スタンプ作成装置３に対して送信する（Ｓ２１１〜Ｓ２１６）。
【００７３】
これにより、ＣＰＵ４１は、元画像を構成する階調画像の算出した平均明度と変換データテーブル８１に基づいて、この階調画像の画像データの明度とコントラストを自動的に変換して、階調画像の押印時の滲みによって捺印された文字の潰れ等が発生しない製版用画像データを作成することが可能となり、捺印された文字の見栄えがよい製版用データを作成することが可能となる。
【００７４】
尚、上記Ｓ２１４において、ＣＰＵ４１が、算出した平均明度を変換データテーブル８１の「平均明度」として、この「平均明度」に対応する変換データテーブル８１の「変換」、「明度」、「コントラスト」を選択している。これに替えて、ＣＰＵ４１は、算出した平均明度と変換データテーブル８１とを液晶表示装置５にそれぞれ表示し、ユーザがマウス７又はキーボード６を介して変換データテーブル８１の「明度」と「コントラスト」を選択するようにしてもよい。そして、ＣＰＵ４１は、この選択された「明度」及び「コントラスト」に対応するように当該階調画像の明度とコントラストを変換するようにしてもよい。
【実施例４】
【００７５】
次に、実施例４に係るスタンプ製版システム１２１について説明する。尚、上記実施例１に係るスタンプ製版システム１と同一符号は、上記実施例１に係るスタンプ製版システム１と同一あるいは相当部分を示すものである。
【００７６】
この実施例４に係るスタンプ製版システム１２１の各全体構成は、実施例１に係るスタンプ製版システム１とほぼ同じ構成である。また、実施例４に係るスタンプ製版システム１２１の制御構成及び制御処理は、実施例１に係るスタンプ製版システム１の制御構成及び制御処理と同じ制御処理である。
但し、実施例４に係るスタンプ製版システム１２１は、スタンプを作成する際のコンピュータ装置２における製版用画像データの作成処理が実施例１に係るスタンプ製版システム１と異なっている。
【００７７】
［製版用画像データ作成処理］
ここで、実施例４に係るコンピュータ装置２のスタンプを作成する際の製版用画像データの作成処理について図１２及び図１３に基づいて説明する。図１２は実施例４に係るコンピュータ装置２における製版用画像データの作成等の制御処理を示すフローチャートである。図１３は作成した製版用データの一例を示す図である。
【００７８】
図１２に示すように、Ｓ３１１及びＳ３１２において、ＣＰＵ４１は、上記Ｓ１１及びＳ１２の処理を実行する。
そして、元画像を構成する階調数２５６の階調画像の上にキーボード６等から入力された１乃至複数の文字データからなる文字列データが重なっていない場合には（Ｓ３１２：ＮＯ）、この階調数２５６の階調画像等を含む元画像の画像データを製版用画像データ記憶領域４３Ｂに記憶後、ＣＰＵ４１は、後述のＳ３１４の処理に移行する。
【００７９】
一方、元画像を構成する階調数２５６の階調画像の上にキーボード６等から入力された１乃至複数の文字データからなる文字列データが重なっている場合には（Ｓ３１２：ＹＥＳ）、ＣＰＵ４１は、Ｓ３１３の処理に移行する。Ｓ３１３において、ＣＰＵ４１は、この文字列データの書体を、階調画像の押印時の滲みによって捺印された文字の潰れ等が発生しにくい書体に変更する。そして、ＣＰＵ４１は、この文字列データの書体を変更した元画像の画像データを製版用画像データ記憶領域４３Ｂに記憶後、後述のＳ３１４の処理に移行する。
【００８０】
例えば、文字列データの書体が、ボールドやゴシック体等の太い字体の場合には、ＣＰＵ４１は、明朝体等の細い字体に変更する。そして、ＣＰＵ４１は、この文字列データの書体を変更した元画像の画像データを製版用画像データ記憶領域４３Ｂに記憶後、後述のＳ３１４の処理に移行する。
【００８１】
また、例えば、図１３の上図に示すように、元画像７１が犬のカラー画像の上側に、「ｄｏｇ」のゴシック体の文字列データ７３の約左半分が重なった画像データの場合には、ＣＰＵ４１は、先ず、犬のカラー画像を階調数２５６の犬の階調画像７２に変換して、再度、元画像データ記憶領域４３Ａに記憶する。
【００８２】
そして、図１３の下図に示すように、犬の階調画像７２の上側に約左半分が重なった「ｄｏｇ」のゴシック体の文字列データ７３を縁取り文字の文字列データ８５に変更する。そして、ＣＰＵ４１は、この縁取り文字の文字列データ８５に変更した元画像の画像データを製版用画像データ記憶領域４３Ｂに記憶後、後述のＳ３１４の処理に移行する。
【００８３】
その後、図１２に示すように、Ｓ３１４及びＳ３１５において、ＣＰＵ４１は、上記Ｓ１４及びＳ１５の処理を実行後、当該処理を終了する。
【００８４】
ここで、ＣＰＵ４１、ＲＯＭ４２、ＲＡＭ４３は、製版用データ作成・編集手段、判定手段、変更文字列データ作成手段、製版用データ作成手段を構成する。
【００８５】
以上詳細に説明した通り、実施例４に係るスタンプ製版システム１２１では、コンピュータ装置２のＣＰＵ４１は、元画像に含まれる写真等を階調数２５６の階調画像に変換する。また、この元画像の階調画像の上にキーボード６等から入力された１乃至複数の文字データからなる文字列データが重なっている場合には、ＣＰＵ４１は、この文字列データの書体を、階調画像の押印時の滲みによって捺印された文字の潰れ等が発生しにくい書体に変更する。そして、ＣＰＵ４１は、この文字列データの書体を変更した元画像の画像データの２値化処理を行いスタンプ用製版を作成するための製版用画像データ（２値画像）を作成し、スタンプ作成装置３に対して送信する（Ｓ３１１〜Ｓ３１５）。
【００８６】
これにより、ＣＰＵ４１は、文字列データを階調画像の押印時の滲みによって潰れ等が発生しにくい所定の書体に変換することによって、この階調画像の押印時の滲みによる捺印された文字の潰れ等を防止することが可能となり、捺印された文字の見栄えがよい製版用データを作成することが可能となる。
【００８７】
尚、本発明は前記実施例１乃至実施例４に限定されることはなく、本発明の要旨を逸脱しない範囲内で種々の改良、変形が可能であることは勿論である。
【００８８】
例えば、図１４に示すように、上記Ｓ１１３において、ＣＰＵ４１は、元画像から作成された階調画像と文字とが重なっている画像データを液晶表示装置５の画面の上方に表示する。そして、ＣＰＵ４１は、この元画像の画像データをガウスぼかしによって上質紙（コピー用紙等）やクラフト紙（茶封筒など）にスタンプした状態の画像データ（イメージデータ）を作成し、それぞれ液晶表示装置５の画面の下方に表示するようにしてもよい。
【００８９】
これにより、ＣＰＵ４１は、元画像から作成された階調画像と文字とが重なっている旨を液晶表示装置５に表示すると共に、この元画像から作成したスタンプを上質紙やクラフト紙に捺印した際に、この階調画像の押印時の滲みによって捺印された文字の潰れ等が発生する可能性がある旨をユーザに報知することが可能となる。
【図面の簡単な説明】
【００９０】
【図１】実施例１に係るスタンプ製版システムの概略構成を示す斜視図である。
【図２】実施例１に係るスタンプ製版システムのスタンプ作成装置の制御構成を示すブロック図である。
【図３】実施例１に係るスタンプ製版システムのコンピュータ装置の制御構成を示すブロック図である。
【図４】実施例１に係るスタンプ製版システムのコンピュータ装置のＲＡＭの構成を示すブロック図である。
【図５】実施例１に係るコンピュータ装置における製版用画像データの作成等の制御処理を示すフローチャートである。
【図６】作成した製版用データの一例を示す図である。
【図７】実施例２に係るコンピュータ装置における製版用画像データの作成等の制御処理を示すフローチャートである。
【図８】警告報知の一例を示す図である。
【図９】実施例３に係る変換データテーブル８１の一例を示す図である。
【図１０】実施例３に係るコンピュータ装置における製版用画像データの作成等の制御処理を示すフローチャートである。
【図１１】作成した製版用データの一例を示す図である。
【図１２】実施例４に係るコンピュータ装置における製版用画像データの作成等の制御処理を示すフローチャートである。
【図１３】作成した製版用データの一例を示す図である。
【図１４】他の実施例の上質紙、クラフト紙にスタンプした状態を模式的に液晶表示装置に表示した一例を示す図である。
【符号の説明】
【００９１】
１、１０１、１１１、１２１  スタンプ製版システム
２  コンピュータ装置
３  スタンプ作成装置
５  液晶表示装置
６  キーボード
７  マウス
２５、４１  ＣＰＵ
２６、４２  ＲＯＭ
２７、４３  ＲＡＭ
７１  元画像
７２、８３  犬の階調画像
７３、８５  文字列データ
７５  再配置画像
７７  警告文
【図１】
0004893512.tif 000002
【図２】
0004893512.tif 000003
【図３】
0004893512.tif 000004
【図４】
0004893512.tif 000005
【図５】
0004893512.tif 000006
【図７】
0004893512.tif 000007
【図９】
0004893512.tif 000008
【図１０】
0004893512.tif 000009
【図１１】
0004893512.tif 000010
【図１２】
0004893512.tif 000011
【図６】
0004893512.tif 000012
【図８】
0004893512.tif 000013
【図１３】
0004893512.tif 000014
【図１４】
0004893512.tif 000015